(57)【要約】【課題】警報停止用の引紐が強く引かれたときには、破損、脱落防止のため、引紐が警報器から確実に離脱するようにする。【解決手段】引紐１５は、先端に太径部１５ｂを形成し、太径部１５ｂが警報器１側に設けられた引紐保持部１４ａの係止孔部１４ｃよりはみだすようにして、抜け止めされている。係止孔部は上端開口１４を有しており、引紐１５が所定の力で引かれたときには、太径部１５ｂで係止孔部１４ｃを拡広させて、太径部１５ｂを係止孔部１４ｃから離脱させる。【選択図】図５
2010113663.tif 000002
【特許請求の範囲】
【請求項１】
警報を停止するための引紐と、操作ボタンとを有した警報器において、
前記引紐は、その先端に太径部が形成され、該太径部が前記警報器側に設けられた引紐保持部に形成した上端を開口させた係止孔部よりはみだすようにして、前記係止孔部の上端開口より該係止孔部に挿入されて抜け止めされており、
前記引紐が所定の力で引かれたときには、前記太径部で前記係止孔部を拡広させて、前記太径部の前記係止孔部からの離脱を可能にする構造にした警報器。
【請求項２】
請求項１において、
前記引紐保持部の係止孔部の外方には、前記係止孔部の弾性変形を容易にするための切り込み部を形成している警報器。
【請求項３】
請求項１または２において、
前記操作ボタンは、前記引紐保持部に一体に形成され、その一方端が警報器に軸支され、他方端が自由端として制御スイッチに当接させた構造にしている警報器。
【請求項４】
請求項１〜３のいずれかにおいて、
前記警報器は、取付面に固定されたベースに着脱自在な構成とされ、
前記引紐保持部は、前記警報器のベース装着面から、前記上端開口が露出するように配設されている警報器。
【発明の詳細な説明】
【技術分野】
【０００１】
本発明は、警報停止等の操作受け付ける操作ボタンおよび引紐を有した警報器に関する。
【背景技術】
【０００２】
従来、上記のような警報器では、警報を停止するスイッチの操作ボタン部に開けた孔に引紐を挿通し、引紐の端部に結び目を作って抜け防止していた。次の特許文献１には、そのようにした引紐を引き操作すると、操作ボタン部が、押圧操作されたときと同方向に動いて、スイッチを作動させる仕組みが開示されている。
【特許文献１】特開２００３−１６２７７９号公報
【発明の開示】
【発明が解決しようとする課題】
【０００３】
しかしながら、特許文献１の構成では、引紐を強く引き過ぎると、操作ボタン部が壊れる、あるいは警報器がユーザの頭上に落下する危険性があった。そこで、本発明は、引紐が強く引かれたときには、引紐が警報器から確実に離脱するようにした新規な構造の警報器を提案する。
【課題を解決するための手段】
【０００４】
本発明は、警報を停止するための引紐と、操作ボタンとを有した警報器において、前記引紐は、その先端に太径部が形成され、該太径部が前記警報器側に設けられた引紐保持部に形成した上端を開口させた係止孔部よりはみだすようにして、前記係止孔部の上端開口より該係止孔部に挿入されて抜け止めされており、前記引紐が所定の力で引かれたときには、前記太径部で前記係止孔部を拡広させて、前記太径部の前記係止孔部からの離脱を可能にする構造にする。
【０００５】
また、前記引紐保持部の係止孔部の外方には、前記係止孔部の弾性変形を容易にするための切り込み部を形成する。
【０００６】
また、前記操作ボタンは、前記操作ボタンは、前記引紐保持部に一体に形成され、その一方端が警報器に軸支され、他方端が自由端として制御スイッチに当接させた構造にする。
【０００７】
また、前記警報器は、取付面に固定されたベースに着脱自在な構成とされ、前記引紐保持部は、前記警報器のベース装着面から、前記開口が露出するように配設される。
【発明の効果】
【０００８】
本発明によれば、引紐は、太径部が引紐保持部に形成した係止孔部よりはみだすようにして、上端開口より係止孔部に挿入される。引紐が所定より小さい力で引かれれば、太径部を抜け止めのストッパーとして、通常の引き操作になるが、所定以上の力で引かれれば、太径部は係止孔部を弾性変形させるために、引紐が上端開口より抜け出す。その後、係止孔部は元の形状に戻る。従って、家具の移動時や室内清掃時に何かで引紐を引っ掛けても、引紐が警報器から離脱するだけで済み、警報器の落下、破損、それらに起因するユーザの怪我が防止できる。
【０００９】
係止孔部に、弾性変形を容易にするための切り込み部を形成した構成では、切り込み部の深さ、形状を工夫することによって、引紐保持部の弾性特性を調整できるので、材料、形状の自由度が向上し、設計も容易になる。
【００１０】
操作ボタンと引紐保持部とを一体に成型した構成では、部品点数が削減でき、コストが抑えられる。
【００１１】
警報器は、ベースに着脱自在とし、引紐保持部は、警報器のベース装着面から上端開口が露出するように配置した構成では、製造時、設置時、あるいは使用時における引紐の着脱が容易になる。
【発明を実施するための最良の形態】
【００１２】
以下、本発明の実施例を図に従って説明する。実施例は、無線によって他の警報器と制御信号を相互に伝送し、火災を検知すると連動して警報を出力する警報器である。しかしながら、本発明は、警報を停止するための引紐と、操作ボタンとを有した他の警報器、例えばガス漏れ警報器等にも適用できる。
【００１３】
図１は実施例を表側からみた外観図、図２は実施例を裏側から見た外観図、図３は実施例の分解図、図４は実施例の縦切断図である。また、図５は操作ボタンの外観図、図６は操作ボタンの縦切断図、図７は係止孔部が弾性変形している状態を示した操作ボタンの外観図である。
【００１４】
警報器１は、天井や壁面等の固定面に固定されるベース部１１と、本体警報部１２とからなる。
【００１５】
本体警報部１２は、ベース装着面を構成する本体基部１２ａと、マイコン等の電子部品を実装した回路基板１２ｂと、操作ボタン１４と、引紐１５と、他の警報器１と通信するための通信アンテナ１６と、火災要因として煙を検知する検知部１７と、警報を出力するスピーカ１８と、検知部１７の防虫カバー１９と、本体カバー１２ｂとで構成されている。
【００１６】
本体基部１２ａには、電源電池収容部１２ｃが２箇所形成されており、それら電池収容部１２ｃの間には、回路基板１３を収容するためのスペースが設けられている。
【００１７】
回路基板１３には、操作ボタン１４によって押圧される制御スイッチ１３ａ、検知部１７、通信アンテナ１６、表示灯となる発光ダイオード２０、更に、図示しないマイコン、監視回路、警報出力回路、通信回路等が取り付けられ、更に、スピーカ１８が図示しないリード線によって接続されている。制御スイッチ１３ａは、警報器１が警報を出力している間は、警報停止の指令を受け付けるスイッチ１３ａとして機能する。また、警報を出力していない間は、テスト等の指令を受け付けるように機能が切り替えられる。
【００１８】
本体カバー１２ｂには、防虫カバー１９、通信アンテナ１６、操作ボタン１４、発光ダイオード２０を外部に露出させるための通孔が形成されている。
【００１９】
引紐１５の一端には、つまみ１５ａが取り付けられており、他端には、太径部１５ｂが取り付けられている。太径部１５ｂは、引紐１５に金属片をかしめたものでもよく、樹脂によって引紐１５に一体成型したものでもよい。また、単に結び目としてもよい。
【００２０】
操作ボタン１４は、一方端に回動軸１４ｂを設け、本体基部１２ａの軸受１２ｄによって軸支され、他方端が自由端として警報器に設けた制御スイッチ１３ａに当接させた構造で、押圧操作に従って回動し、制御スイッチ１３ａを作動させる。この回転軸１４ｂを設けた一方端側には、引紐保持部１４ａが立設されている。引紐保持部１４ａは、引紐１５の太径部１５ｂを抜け止め係止する係止孔部１４ｃを有している。係止孔部１４ｃには、上端開口１４ｄが形成されている。
【００２１】
このように、操作ボタン１４と引紐保持部１４ａとを一体に成型すれば部品点数が削減でき、コストが抑えられる。なお、操作ボタン１４と、引紐保持部１４ａは別体として構成してもよい。
【００２２】
係止孔部１４ｃには更に、その弾性変形を容易にするため、切り込み部１４ｅを形成しておくことが望ましい。この切り込み部１４ｅによって、引紐保持部１４ａの弾性特性を調整できるので、材料、形状の自由度が向上し、設計も容易になる。
【００２３】
引紐１５は、太径部１５ｂが係止孔部１４ｃよりはみ出すようにして、上端開口１４ｄより係止孔部１４ｃに挿入される。この引紐１５が所定より小さい力で引かれれば、太径部１５ｂは抜け止めストッパーとして機能し、通常の引き操作になる。具体的には、引紐１５の引き操作に従って、引紐保持部１４ａは、操作ボタン１４を押圧操作されたときと同方向に回動させ、制御スイッチ１３ａを作動させる。一方、引紐１５が所定以上の力で引かれれば、太径部１５ｂは係止孔部１４ｃを弾性変形させ、引紐１５が上端開口１４ｄより抜け出す。その後、係止孔部１４ｃは元の形状に戻る。
【００２４】
従って、家具の移動時や室内清掃時に何かで引紐１５を引っ掛けても、引紐１５が警報器１から離脱するだけで済み、警報器１の落下、破損、それらに起因するユーザの怪我が防止できる。
【００２５】
なお、本発明では、引紐保持部１４ａは、本体基部１２ａから、上端開口１４ｄが露出するように配設され、本体カバー１２ｂには、上端開口１４ｄに近接して、引紐１５を外側に導くための切欠が形成されている。これにより、製造時、設置時、あるいは使用時における引紐１５の着脱が容易になっている。
【図面の簡単な説明】
【００２６】
【図１】実施例を表側からみた外観図である。
【図２】実施例を裏側から見た外観図である。
【図３】実施例の分解図である。
【図４】実施例の縦切断図である。
【図５】操作ボタンの外観図である。
【図６】操作ボタンの縦切断図である。
【図７】係止孔部が弾性変形している状態を示した操作ボタンの外観図である。
【符号の説明】
【００２７】
１      警報器
１３ａ  制御スイッチ
１５    引紐
１５ｂ  太径部
１４    操作ボタン
１４ａ  引紐保持部
１４ｃ  係止孔部
１４ｄ  上端開口
１４ｅ  切り込み部
【図１】
2010113663.tif 000003
【図２】
2010113663.tif 000004
【図３】
2010113663.tif 000005
【図４】
2010113663.tif 000006
【図５】
2010113663.tif 000007
【図６】
2010113663.tif 000008
【図７】
2010113663.tif 000009